(57)【特許請求の範囲】
【請求項１】
複数種の記録媒体を選択的に記録可能な記録装置であって、
前記複数種各々の記録媒体のいづれかを給紙部に収容する取付手段と、
前記給紙部に収容されている記録媒体の種類を識別する識別手段と、
前記複数種各々の記録媒体への記録を実行するために用いられるアプリケーションソフトウェアと、前記記録媒体の種類との関連を登録する登録手段と、
記録動作の実行にあたり、前記識別手段によって識別された記録媒体の種類に基づいて、前記登録手段によって登録されたアプリケーションソフトウェアを検索し、前記検索されたアプリケーションソフトウェアを起動して前記給紙部に収容されている記録媒体に対する記録動作を実行するよう制御する制御手段と、
前記記録媒体への記録に先立って、記録画像をディスプレイ画面にプレビューするプレビュー手段と、
前記プレビュー手段によってプレビューされた記録画像の内容を編集する編集手段とを有し、
前記登録手段は、１つのアプリケーションソフトウェアが複数種の記録媒体に対する記録処理を実行できる場合には、マンマシンインタラクティブに該アプリケーションソフトウェアで利用できる記録媒体のサイズを登録することを特徴とする記録装置。
【請求項２】
前記制御手段は、前記識別手段によって識別された記録媒体の種類に基づいて、前記登録手段によって登録されたアプリケーションソフトウェアが検索できない場合には、エラーメッセージを前記ディスプレイ画面に表示するエラーメッセージ表示手段を含むことを特徴とする請求項１に記載の記録装置。
【請求項３】
前記登録手段は、さらに、前記１つのアプリケーションソフトウェアで前記複数の記録媒体各々に対応して記録可能な画像の種類を登録することを特徴とする請求項１に記載の記録装置。
【請求項４】
前記登録手段によって登録された複数の画像の種類から所望の種類を選択する選択手段をさらに有することを特徴とする請求項３に記載の記録装置。
【請求項５】
前記制御手段は、前記選択手段によって選択された画像の種類に基づいて、前記画像を記録するために適切な記録媒体の種類を特定し、前記特定された記録媒体の種類と前記識別手段によって識別された記録媒体の種類とを比較し、前記比較結果に基づいて、記録動作を実行するよう制御することを特徴とする請求項４に記載の記録装置。
【請求項６】
前記編集手段は、編集される記録内容の項目１つ１つをマンマシンインタラクティブに入力するマンマシンインタラクティブを有することを特徴とする請求項１に記載の記録装置。
【請求項７】
前記編集手段は、
編集される記録内容の項目全てを予め記憶しておく記憶手段と、
前記編集される記録内容の項目の内、代表項目の内容を指示する指示手段と、
前記指示手段によって指示された代表項目の内容に基づいて、前記記憶手段を検索して編集される記録内容の項目全てを抽出し、前記抽出された項目に基づいて、自動的に記録内容を編集する自動編集手段を有することを特徴とする請求項１に記載の記録装置。
【請求項８】
前記複数種の記録媒体への記録のために、インクを吐出して記録を行うインクジェット記録ヘッドをさらに有することを特徴とする請求項１に記載の記録装置。
【請求項９】
前記インクジェット記録ヘッドは、熱エネルギーを利用してインクを吐出するために、インクに与える熱エネルギーを発生するための熱エネルギー変換体を備えていることを特徴とする請求項８に記載の記録装置。
【請求項１０】
前記給紙部は、着脱可能なカセットを装着可能であり、
前記識別手段は、装着されたカセットの種類を識別することを特徴とする請求項１乃至９のいずれか１項に記載の記録装置。
【発明の詳細な説明】
【０００１】
【発明の属する技術分野】
本発明は記録装置に関し、特に、複数の記録媒体を選択的に利用可能な記録装置に関する。
【０００２】
【従来の技術】
従来、複数の記録媒体に対して選択的に記録可能なカード作成装置においては、これら記録媒体を識別するための識別情報とこれに対応する記録媒体の関連が固定的であり、その識別情報と記録媒体との対応関係を変更する場合には、その対応関係を管理するアプリケーションソフトの変更が必要であった。
【０００３】
【発明が解決しようとする課題】
しかしながら上記従来例では識別情報と記録媒体との対応関係が変更されるたび毎に、アプリケーションソフトの変更が必要となる為、バージョンの異なる多くのアプリケーションソフトが発生し、アプリケーションソフトの管理とメンテナンスすることが非常に難しくなるという問題があった。
【０００４】
本発明は上記従来例に鑑みてなされたもので、記録媒体とこれを識別するための識別情報との対応関係の変更を容易に行なうことができる記録装置を提供することを目的とする。
【０００５】
【課題を解決するための手段】
上記目的を達成するために本発明の記録装置は、以下のような構成からなる。
【０００６】
即ち、複数種の記録媒体を選択的に記録可能な記録装置であって、前記複数種各々の記録媒体のいづれかを給紙部に収容する取付手段と、前記給紙部に収容されている記録媒体の種類を識別する識別手段と、前記複数種各々の記録媒体への記録を実行するために用いられるアプリケーションソフトウェアと、前記記録媒体の種類との関連を登録する登録手段と、記録動作の実行にあたり、前記識別手段によって識別された記録媒体の種類に基づいて、前記登録手段によって登録されたアプリケーションソフトウェアを検索し、前記検索されたアプリケーションソフトウェアを起動して前記給紙部に収容されている記録媒体に対する記録動作を実行するよう制御する制御手段と、前記記録媒体への記録に先立って、記録画像をディスプレイ画面にプレビューするプレビュー手段と、前記プレビュー手段によってプレビューされた記録画像の内容を編集する編集手段とを有し、前記登録手段は、１つのアプリケーションソフトウェアが複数種の記録媒体に対する記録処理を実行できる場合には、マンマシンインタラクティブに該アプリケーションソフトウェアで利用できる記録媒体のサイズを登録することを特徴とする記録装置を備える。
【０００８】
また、前記制御手段は、識別手段によって識別された記録媒体の種類に基づいて、登録手段によって登録されたアプリケーションソフトウェアが検索できない場合には、エラーメッセージをディスプレイ画面に表示するエラーメッセージ表示手段を含むことが望ましい。
【０００９】
さて、前記登録手段はさらに、そのアプリケーションソフトウェアで複数の記録媒体各々に対応して記録可能な画像の種類を登録するようにしても良い。
【００１０】
この場合、登録された複数の画像の種類から所望の種類を選択するようにするとさらに良い。そして、前記制御手段が、選択された画像の種類に基づいて、画像を記録するために適切な記録媒体の種類を特定し、その特定された記録媒体の種類と識別手段によって識別された記録媒体の種類とを比較し、その比較結果に基づいて、記録動作を実行するよう制御すると良い。
【００１１】
さらにまた、前記編集手段は、編集される記録内容の項目１つ１つをマンマシンインタラクティブに入力するマンマシンインタラクティブを有するようにしても良いし、或は、編集される記録内容の項目全てを予め記憶しておく記憶手段と、その編集記録内容の項目の内、代表項目の内容を指示する指示手段と、その指示された代表項目の内容に基づいて、記憶手段を検索して編集される記録内容の項目全てを抽出し、その抽出された項目に基づいて、自動的に記録内容を編集する自動編集手段を有するようにすると良い。
【００１２】
なお、前記複数種の記録媒体への記録のために、インクを吐出して記録を行うインクジェット記録ヘッドをさらに有することが望ましく、その記録ヘッドは、熱エネルギーを利用してインクを吐出するために、インクに与える熱エネルギーを発生するための熱エネルギー変換体を備えていることがさらに望ましい。
【００１４】
以上の構成により本発明は、複数種各々の記録媒体への記録を実行するために用いられるアプリケーションソフトウェアと記録媒体の種類との関連を登録し、装置に装着されている記録媒体の種類を識別し、記録動作の実行にあたり、その識別された記録媒体の種類に基づいて、登録されたアプリケーションソフトウェアを検索し、その検索されたアプリケーションソフトウェアを起動して、装着されている記録媒体に対する記録動作を実行するよう制御するよう動作する。
【００１５】
【発明の実施の形態】
以下添付図面を参照して本発明の好適な実施形態について詳細に説明する。
【００１６】
図１は、本発明の代表的な実施形態であるインクジェット方式に従って記録を行なうフルライン記録ヘッドを用いたカラーラベル記録装置（以下、記録装置という）とパーソナルコンピュータ（以下、ＰＣという）とで構成されるカード作成システム（以下、システムという）の外観正面図である。
【００１７】
図１に示すように、記録装置１０１とＰＣ１０７本体とは筐体１００の内部に据え付けられており、筐体１００の上部にはシステムの動作状況を監視するためのＣＲＴモニタ１０３とシステムに種々の指示を入力したり、システムからの依頼に応答するためのキーボード１０４とが設置されている。そして、これらのシステム構成要素は、互いにケーブルで接続されている。また、記録装置１０１の給紙部１０５には交換可能である記録媒体を載積してあるカセット１０６が装着されている。さらに、記録装置１０１で記録がなされた記録媒体は装置から排出されて積載部１０２に積載される。
【００１８】
図２は、記録装置１０１の内部構造を説明するための斜視透視図である。
【００１９】
記録装置１０１は、インクジェット記録方式に従ってインクを吐出して記録を行うフルラインインクジェットヘッド（以下、記録ヘッドという）２０１〜２０４、及び常に安定したインク吐出を保証するための回復ユニット（不図示）を備えている。記録用紙２０５は、カセット１０６から、これら記録ヘッドによる印刷位置に供給され、この記録装置のメインユニット２０８に具備された搬送ユニット２０６によって搬送される。
【００２０】
記録用紙２０５への画像の印刷は、記録用紙２０５を搬送しながら、記録用紙２０５の基準位置がブラック（Ｋ）のインクを吐出する記録ヘッド２０１の下に到達したときに、記録ヘッド２０１からブラックインクを吐出する。同様に、シアン（Ｃ）のインクを吐出する記録ヘッド２０２、マゼンタ（Ｍ）のインクを吐出する記録ヘッド２０３、イエロ（Ｙ）のインクを吐出する記録ヘッド２０４の順に、それぞれ基準位置に記録用紙２０５が到達すると各色のインクを吐出してカラー画像を形成する。こうして画像が印刷された記録用紙２０５は積載部１０２に排出されて堆積される。
【００２１】
この実施形態における記録装置１０１は、更に搬送ユニット２０６、記録ヘッド２０１〜２０４にインクを供給するためのインクカートリッジ（不図示）、記録ヘッド２０１〜２０４へのインク供給や回復動作のためのポンプユニット（不図示）、記録装置１０１全体を制御する制御基板（不図示）等を有している。またフロントドア２０９は、インクカートリッジの交換用の開閉扉である。
【００２２】
図３は、記録装置１０１の制御構成を示すブロック図である。
【００２３】
図３において、７００はメインコントローラで、メモリ７０１に記憶された制御プログラムに従って記録装置１０１全体の制御を行っている。７０２は記録ヘッドの回復機構等を駆動するためのモータ、７０３は記録用紙の搬送を行う用紙送り用モータ（ＬＦモータ）で、これらモータはメインコントローラ７００の指示に基づいてそれぞれ対応するモータドライバ７０２Ｄ，７０３Ｄにより駆動されている。７０４Ｙ〜７０４Ｋのそれぞれは、イエロ成分のイメージデータ、マゼンタ成分のイメージデータ、シアン成分のイメージデータ及び黒成分のイメージデータを記憶するイメージメモリである。これらイメージメモリへのデータの書込み、及びこれらイメージメモリからのデータの読み出しは、イメージデータコントローラ７０７の制御の下に実行される。ヘッド駆動回路７０５は、メインコントローラ７００の指示の下にイメージデータコントローラ７０７から送られてくるイメージデータに基づいて、各色のイメージデータに応じて対応する記録ヘッドを駆動して印刷を行っている。
【００２４】
ＰＣ１０７は記録動作に関する種々の制御を行い、また、記録装置１０１に対して印刷処理の開始を指示する。
【００２５】
これにより、記録装置１０１は、イメージデータコントローラ７０７の機能を使用して、ＰＣ１０７によって指定された記録媒体上の位置に対応するイメージメモリ７０４のアドレスに、カラー画像データの各色成分に対応するイメージデータをビットマップ展開する。こうしてＹ，Ｍ，Ｃ，Ｋの４色分のイメージデータをイメージメモリ７０４に展開すると、メインコントローラ７００は記録用紙を搬送するためのＬＦモータ７０３を回転駆動して記録用紙の搬送を開始する。この記録用紙の搬送に同期して、イメージデータコントローラ７０７がイメージメモリ７０４から、対応する色のイメージデータを順次読み出し、ヘッド駆動回路７０５を経由して、それぞれ対応する色のインクを吐出する記録ヘッド２０１〜２０４に伝送する。こうして記録ヘッド２０１〜２０４のそれぞれは、その伝送されたイメージデータに従ってインクを吐出してカラー画像の印刷を行う。
【００２６】
また、記録装置１０１から種々の画像を記録して出力するために備えられた種々のアプリケーションソフトウェア（以下、アプリケーションという）は、ＣＲＴモニタ１０３の画面に表示された選択メニューＰＣ１０７からキーボード１０７或はマウス（不図示）を操作して起動される。
【００２７】
図４は、記録装置１０１に装着可能な種々のカセットとそこに格納された種々の記録媒体を示す図である。
【００２８】
図４に示すように、記録装置に装着可能な３種類のカセット１０６Ａ、１０６Ｂ、１０６Ｃには夫々、サイズの異なる記録媒体２０５Ａ、２０５Ｂ、２０５Ｃが格納されている。この実施形態では、これら複数の記録媒体から用途に応じて所望の記録媒体を格納したカセットを給紙部１０５に取り付けることによって用いることができる。また、これらカセットの左下端には夫々、図４に示すように、記録装置１０１に記録媒体のサイズを識別させるための爪２０７（最大２つ）が設けられており、この爪の位置を記録装置１０１本体側のセンサ（不図示）によって検出し、最終的には記録媒体のサイズを記録装置１０１とＰＣ１０７とは知ることができる。
【００２９】
従って、この実施形態の場合、記録装置１０１のセンサは、２つの爪の有無によって、４つの状態を識別することができる。即ち、（１）どのカセットも装着されておらず記録媒体がない状態（識別パターン“００”）、（２）カセット１０６Ａが装着されており記録媒体２０５Ａ（タイプ１）が供給される状態（識別パターン“０１”）、（３）カセット１０６Ｂが装着されており記録媒体２０５Ｂ（タイプ２）が供給される状態（識別パターン“１０”）、（４）カセット１０６Ｃが装着されており記録媒体２０５Ｃ（タイプ３）が供給される状態（識別パターン“１１”）である。この識別パターンはＰＣ１０７に転送されるとともに、記録装置１０１のメモリ７０１にも格納される。
【００３０】
また、ＰＣ１０７では、所定のアプリケーションを起動して、その識別パターンと実際の記録媒体のサイズとその記録媒体に対して記録を行なうアプリケーションとの関連づけを行なう。この関連づけはＣＲＴモニタ１０３の画面に表示された指示に従って、キーボード１０７或はマウス（不図示）を操作して行なう。そして、この操作によって得られた関連づけの情報はＰＣ１０７のメモリ（不図示）や記録装置１０１のメモリ７０４に格納される。
【００３１】
図５は、上記の関連づけを行なうアプリケーションの実行時にＣＲＴモニタ１０３に表示されるメニュー画面を示す図である。
【００３２】
図５において、（ａ）はセンサから得られる識別パターン４０１と記録媒体の種類（ここでは、用紙種類）４０２とその記録媒体に対して記録を行なうためのアプリケーションのファイル名４０３との関係を設定するために表示されるメニュー画面４００である。
【００３３】
この画面において、識別パターン４０１に関連づけられる用紙種類４０２は、（ｂ）に示される用紙種類登録メニュー４０６において予め登録された用紙種類より選択する。
【００３４】
メニュー画面４００から用紙種類登録メニュー４０６の画面へは、“用紙タイプ登録キー”４０５をマウスでクリックして選択することにより遷移する。用紙種類登録メニュー４０６では、用紙種類入力欄４０７にキーボード１０４或はマウスを利用してその種類、例えば、Ａ４、ＬＧＬ、ＬＴＲ、はがき、名刺など、記録媒体の種類を入力し、さらに、これらの記録媒体に記録するために用いるアプリケーションファイル名を起動アプリケーションファイル名の入力欄４０８に入力する。ここで、必要なら、備考入力欄に所望の情報を入力しても良い。
【００３５】
そして、“ＯＫキー”４１０を選択することにより、用紙種類登録メニュー４０６において入力された情報が登録され、その後用紙種類登録メニュー４０６からメニュー画面４００に戻る。なお、“キャンセル”キー４１１をクリックすると、何の情報の登録もなされずに、表示画面が用紙種類登録メニュー４０６からメニュー画面４００に戻る。
【００３６】
最後に、メニュー画面４０４において、“ＯＫキー”４０４を選択することにより、以上説明した手順に従って設定したパラメータがＰＣ１０７のメモリと記録装置１０１のメモリ７０１に格納される。
【００３７】
次に、記録動作を実行するためのアプリケーションの選択処理とその選択アプリケーションの実行について、図６に示すフローチャートと、図７に示す選択されたアプリケーション実行時の表示画面とを参照して説明する。
【００３８】
まず、ステップＳ５００では、現在装着されているカセットを検出して得られる識別パターンを獲得し、次に、ステップＳ５０１では、その獲得した識別パターンに基づいてメニュー画面４００において関連づけられる用紙種類を検索する。
【００３９】
その検索の結果、処理はステップＳ５０２において、獲得した識別パターンに対応する用紙種類が登録されているかどうかを調べる。ここで、その登録がなされてないと判断された場合は、処理はステップＳ５０３に進み、エラーメッセージをＣＲＴモニタ１０３の画面に表示して処理を終了する。
【００４０】
これに対して、登録がなされていたと判断された場合は、処理はステップＳ５０４に進み、起動するアプリケーションファイルを検索し、さらに、ステップＳ５０５において、そのアプリケーションファイルの検索に成功したかどうかを調べる。ここで、その検索に成功した場合には処理はステップＳ５０６に進み、認識パターンに対応するアプリケーションを起動する。これに対して、その検索に失敗した場合には、処理はステップＳ５０３に進み、エラーメッセージをＣＲＴモニタ１０３の画面に表示して処理を終了する。
【００４１】
さて、以上のような処理により、アプリケーションが選択され起動されると、例えば、図７に示すような画面がＣＲＴモニタ１０３に表示される。
【００４２】
図７において、（ａ）は印刷プレビューの画面であり、（ｂ）は起動されたアプリケーションによる記録画像の編集画面である。この実施形態では、印刷プレビュー画面６００において、名刺６０１のような印刷結果が表示されると、その画像に印刷される各個別情報の項目６０３毎に内容の変更が可能である。具体的には、この画面において、１つの個別情報をマウスなどでクリック選択すると、表示画面は（ｂ）に示す個別情報入力画面６０４に遷移し、個別情報入力画面６０４のフィールド６０５に情報を入力することによってその選択された個別情報の内容を変更できる。（ｂ）の画面において、“ＯＫキー”６０６を選択することにより、フィールド６０５から入力された情報が登録され、その後表示画面は印刷プレビュー画面６００に戻る。なお、“キャンセル”キー６０７をクリックすると、何の情報の登録もなされずに、表示画面がプレビュー画面６００に戻る。
【００４３】
最後に、すべての項目に対しての確認が終了した後、“印刷”キー６０２をクリック選択することにより、記録装置１０１へ印刷データを送信し、印刷を行う。
【００４４】
従って、上記の実施形態によれば、識別パターンと記録媒体の種類との対応関係に変更が発生した場合においても、簡単なマンマシンインタラクティブな操作により、その対応関係をシステムに対して反映させることができる。また、新規に利用可能な記録媒体を追加する場合においても、簡単なマンマシンインタラクティブな操作によりシステムに対して簡単に追加登録することができる。
【００４５】
これによって、識別パターンと記録媒体の種類との対応関係が変更したりその対応関係を追加登録するたび毎にアプリケーションを修正したりする必要がなくなる。
【００４６】
なお、記録動作を実行する１つのアプリケーションが複数の異なるサイズの記録媒体に対して記録可能である場合には、図８に示すようなメニュー画面４００′において、識別パターンと記録媒体の種類（ここでは用紙の種類）との関係づけだけを指定するようにして、アプリケーションを起動実行すれば良い。この場合、そのアプリケーションの起動時には図９のフローチャートに示すような処理が実行される。
【００４７】
図９において、図６で説明したのと同じ処理ステップには同じステップ参照番号を付してある。図９に示す処理に従えば、ステップＳ５００で識別パターンを獲得し、ステップＳ５０２′で用紙種類が登録されていると判断されれば、処理はステップＳ８０２〜Ｓ８０４において、さらに、どんな種類の用紙が登録されているか調べる。そして、タイプ１〜３のいづれかの用紙が登録されていれば、処理はステップＳ８０５〜Ｓ８０７のいづれか１つに進み、その用紙タイプに応じた記録処理を実行する。しかし、タイプ１〜３のいづれかの用紙も登録されていなければ、処理はステップＳ５０３に進み、前述の処理を実行する。また、ステップＳ５０２′で用紙種類が登録されていないと判断されれば、同様にステップＳ５０３に進む。
【００４８】
図１０は、ステップＳ８０５〜Ｓ８０７に対応してタイプ１〜３各々の用紙を用いて記録を行なう場合の印刷プレビュー画面６００である。図１０において、（ａ）はタイプ１（例えば、名刺６０１）の用紙に印刷する場合、（ｂ）はタイプ２（例えば、官製はがき６１０）の用紙に印刷する場合、（ｃ）はタイプ３（例えば、クリスマスカード６１１）の用紙に印刷する場合、の画面を示している。
【００４９】
なお、図１０において、既に図７において説明したのと同じ要素には同じ参照番号を付している。ここで、６０８、６０９はその内容が変更可能なフィールドを示している。
【００５０】
【他の実施形態】
ここでは、複数種類の記録媒体に記録可能な１つのアプリケーションの起動時に、ＣＲＴモニタに表示される初期画面において、そのアプリケーションで記録可能な画像の種類をメニューとして表示し、そのメニューからユーザが選択した記録媒体と、現在装着されているカセットに収容された記録媒体とを識別パターンに基づいて比較し、その比較結果に基づいて、記録動作の実行を制御する例について、図１１〜図１３を参照して説明する。なお、これらの図においても上述した実施形態で説明したのと同じ要素や同じ処理ステップには同じ参照番号や同じステップ参照番号を付しその説明は省略し、ここではこの実施形態に特有の要素についてのみ説明する。
【００５１】
図１１はこの実施形態に従うアプリケーションが起動された時に用いる識別パターンと用紙種類とその用紙に対応する画像の種類との関連づけを示すメニュー画面である。
【００５２】
このメニュー画面４００には、識別パターン４０１と用紙種類４０２の欄に加えて、用紙種類４０２に表示された種類の用紙に印刷できる画像の種類をメニュー４０３′が定義されている。
【００５３】
さて、この実施形態に従うアプリケーションが起動されると、図１２のフローチャートに示されるように、まず、ステップＳ１２００ではそのアプリケーションで記録可能な記録媒体の種類がメニュー表示される。図１３はそのメニューを示す図である。このメニューは図１１に示された関係に基づいて表示される。さらに、処理はステップＳ１２０１において、そのメニューからの選択指示待ちになり、図１３に示すメニュー画面１１００から所望の画像の種類１１０１をキーボード１０４或はマウスを用いて選択すると、その選択された情報をメモリの所定の記憶領域に格納し、処理はステップＳ１２０２に進む。
【００５４】
ステップＳ１２０２では、図１１に示された関係を参照し、選択された画像の種類に必要な用紙の種類を特定し、センサから識別パターンを取得する。
【００５５】
そして、ステップＳ８０２〜Ｓ８０４では、その必要な用紙の種類とセンサから得られた識別パターンに基づいてカセットに収容された記録媒体の種類（ここでは、用紙の種類）とを比較し、必要な記録媒体（ここでは、用紙）があるならば、ステップＳ８０５〜Ｓ８０７において、その特定された記録媒体に対して記録を実行する。
【００５６】
これに対して、ステップＳ１２０２で特定された必要な記録媒体の種類が得られなかった場合には、処理はステップＳ５０３に進み、前述したような処理を行ない、処理は再びステップＳ１２００に戻る。この際、利用者は所望の記録媒体が収容されているカセットを記録装置に装着すれば良い。
【００５７】
なお、ステップＳ８０５〜Ｓ８０７における記録が終了すると処理は終了する。
【００５８】
従って、この実施形態に従えば、マンマシンインタラクディブに容易に利用者が所望の画像を選択し、記録媒体を選択して記録を行なうことができる。
【００５９】
【さらに他の実施形態】
さて、前述した実施形態において、図７を参照し、例えば、名刺のような画像を印刷する際に印刷プレビューを画面表示し、特定のフィールドに印刷される情報をマンマシンインタラクティブに編集できることを説明した。しかしながら、このような編集はそのフィールド毎に編集情報を入力しなければならないので、編集フィールドの数が多いとその編集操作も煩雑となる。
【００６０】
従って、名刺印刷のように、印刷画像のフォーマットが所定の形式であり、所属部署や氏名などの個別情報に関する特定のフィールドのみを編集すれば良い場合には、図１４に示すような社員番号、所属部署、氏名などの情報を表形式にした情報１４００を予め、ＰＣ１０７のハードディスクなどに記憶しておき、図７（ｂ）に示すような個別情報入力画面の代わりに、図１５に示すような編集画面１５００を表示し、入力フィールド１５０１に社員番号を入力し、“確認”キー１５０２をクリックすると、図１４に示した情報１４００が検索され、名刺の印刷に必要な情報が自動的に情報１４００から抽出されるようにしても良い。
【００６１】
これによって、複数の個別情報を個々に入力しなくとも予め記憶されている個別情報に関連する情報を検索し、その検索された情報を使用して印刷を行なうことができる。
【００６２】
またさらに、以上説明した実施形態では情報の入力や選択指示入力などはキーボードやマウスを用いて行なうとしたが本発明はこれによって限定されるものではなく、例えば、ＣＲＴモニタ画面の表面に装着されたタッチ・センシティブ・パネルを用いて、これらの入力を行なうようにしても良い。
【００６３】
またさらに、以上説明した実施形態におけるシステムにＩＤカード読み取り装置を装着し、例えば、名刺などを印刷する際の個別情報として、そのＩＤカード読み取り装置で読み取った情報を使用するようにしても良い。
【００６４】
なお、以上説明した実施形態では、インクジェット方式に従って記録を行なうフルライン記録ヘッドを用いた記録装置とパーソナルコンピュータとで構成されるカード作成システムを例に説明したが、複数の記録媒体を選択的に備え、これらの記録媒体の種類が交換可能であれば、本発明はシステムを構成する記録装置やパーソナルコンピュータの種類に限定されるものではない。
【００６５】
また、以上の実施形態において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【００６６】
以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【００６７】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【００６８】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００６９】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００７０】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００７１】
加えて、上記の実施形態で説明した記録ヘッド自体に一体的にインクタンクが設けられたカートリッジタイプの記録ヘッドのみならず、装置本体に装着されることで、装置本体との電気的な接続や装置本体からのインクの供給が可能になる交換自在のチップタイプの記録ヘッドを用いてもよい。
【００７２】
また、以上説明した記録装置の構成に、記録ヘッドに対する回復手段、予備的な手段等を付加することは記録動作を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段などがある。また、記録とは別の吐出を行う予備吐出モードを備えることも安定した記録を行うために有効である。
【００７３】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００７４】
以上説明した実施の形態においては、インクが液体であることを前提として説明しているが、室温やそれ以下で固化するインクであっても、室温で軟化もしくは液化するものを用いても良く、あるいはインクジェット方式ではインク自体を３０°Ｃ以上７０°Ｃ以下の範囲内で温度調整を行ってインクの粘性を安定吐出範囲にあるように温度制御するものが一般的であるから、使用記録信号付与時にインクが液状をなすものであればよい。
【００７５】
加えて、積極的に熱エネルギーによる昇温をインクの固形状態から液体状態への状態変化のエネルギーとして使用せしめることで積極的に防止するため、またはインクの蒸発を防止するため、放置状態で固化し加熱によって液化するインクを用いても良い。いずれにしても熱エネルギーの記録信号に応じた付与によってインクが液化し、液状インクが吐出されるものや、記録媒体に到達する時点では既に固化し始めるもの等のような、熱エネルギーの付与によって初めて液化する性質のインクを使用する場合も本発明は適用可能である。このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【００７６】
さらに加えて、本発明に係る記録装置の形態としては、コンピュータ等の情報処理機器の画像出力端末として一体または別体に設けられるものの他、リーダ等と組み合わせた複写装置、さらには送受信機能を有するファクシミリ装置の形態を取るものであっても良い。
【００７７】
なお、本発明は、複数の機器（例えばホストコンピュータ，インタフェース機器，リーダ，プリンタなど）から構成されるシステムに適用しても、一つの機器からなる装置（例えば、複写機，ファクシミリ装置など）に適用してもよい。
【００７８】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００７９】
この場合、記憶媒体から読出されたプログラムコード自体が前述した実施形態の機能を実現することになり、そのプログラムコードを記憶した記憶媒体は本発明を構成することになる。
【００８０】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００８１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００８２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００８３】
【発明の効果】
以上説明したように本発明によれば、使用する記録媒体の種類の変更があっても、アプリケーションソフトウェアの変更や修正をしなくても良いという効果がある。
【００８４】
これにより、アプリケーションソフトウェアのメンテナンス性に優れたシステムが提供できる。
【００８５】
【図面の簡単な説明】
【図１】本発明の代表的な実施形態であるカード作成システムの構成を示す外観正面図である。
【図２】記録装置の内部構成を示す模式的な透視斜視図である。
【図３】記録装置の制御構成を示すブロック図である。
【図４】記録装置１０１に装着可能な種々のカセットとそこに格納された種々の記録媒体を示す図である。
【図５】ＣＲＴモニタ１０３に表示されるメニュー画面を示す図である。
【図６】アプリケーションの選択処理とその選択アプリケーションの実行処理を示すフローチャートである。
【図７】選択されたアプリケーション実行時の表示画面を示す図である。
【図８】メニュー画面４００′を示す図である。
【図９】アプリケーションの起動時に実行される処理を示すフローチャートである。
【図１０】タイプ１〜３各々の用紙を用いて記録を行なう場合の印刷プレビュー画面６００を示す図である。
【図１１】他の実施形態に従うアプリケーションが起動された時に用いる識別パターンと用紙種類とその用紙に対応する画像の種類との関連づけを示すメニュー画面を示す図である。
【図１２】他の実施形態に従うアプリケーションが起動された時の選択処理を示すフローチャートである。
【図１３】図１２に示す選択処理で表示されるメニュー画面を示す図である。
【図１４】システムに予め記憶されている個別情報に関連する情報を示す表である。
【図１５】簡便な個別情報入力を行なうための入力画面を示す図である。
【符号の説明】
１００  カード作成ステップの筐体
１０１  記録装置
１０２  積載部
１０３  ＣＲＴモニタ
１０４  キーボード
１０５  給紙部
１０６、１０６Ａ、１０６Ｂ、１０６Ｃ  カセット
１０７  パーソナルコンピュータ
２０１〜２０４  記録ヘッド
２０５、２０５Ａ、２０５Ｂ、２０５Ｃ  記録媒体
２０６  搬送ユニット
２０７  爪
２０８  メインユニット
２０９  フロントドア
７００  メインコントローラ
７０１  メモリ
７０２  モータ
７０２Ｄ，７０３Ｄ  モータドライバ
７０３  ＬＦモータ
７０４Ｙ〜７０４Ｋ  イメージメモリ
７０５  ヘッド駆動回路
７０７  イメージデータコントローラ
【図１】
0004176874.tif 000002
【図２】
0004176874.tif 000003
【図３】
0004176874.tif 000004
【図４】
0004176874.tif 000005
【図５】
0004176874.tif 000006
【図６】
0004176874.tif 000007
【図７】
0004176874.tif 000008
【図８】
0004176874.tif 000009
【図９】
0004176874.tif 000010
【図１０】
0004176874.tif 000011
【図１１】
0004176874.tif 000012
【図１２】
0004176874.tif 000013
【図１３】
0004176874.tif 000014
【図１４】
0004176874.tif 000015
【図１５】
0004176874.tif 000016